(57)【要約】【課題】  間口が数ｍ乃至それ以上に及ぶサンルームにおける正面嵌め殺し部の中間柱を起立するベースを容易に水平設置できるようにする。【解決手段】  中間柱を起立するベース材を，支柱１１間下端にブラケットで固定するベース受材５とこれに傾斜固定自在の水平ベース材６とによって形成し，ベース受材５の内外の各垂直受部５２，５３に水平ベース材６の内外の垂直固定部６３，６４をスライドして該水平ベース材６を水平状態に支柱１１間に固定できるようにする。ベース受材５は土間コンクリート９２上に載置され，その不陸の影響で傾斜して配置されるが，水平ベース材６を設置することによって，中間柱４２を常に定位置で垂直に起立固定することができ，不陸により中間柱４２を垂直に設置できないといった障害を解消できる。【選択図】  図３
2007239210.tif 000002
【特許請求の範囲】
【請求項１】
基礎コンクリートに埋込設置して垂直に起立固定した支柱と，土間コンクリート上に載置して該支柱間下端に固定した長尺のベース受材と，該ベース受材に対して長手方向傾斜固定することによって基礎コンクリート間配置の土間コンクリートの不陸を吸収自在とした支柱間水平配置の中間柱起立用長尺の水平ベース材とを備えてなることを特徴とする屋外構築物の土間コンクリート不陸吸収装置。
【請求項２】
上記ベース受材がその内外両側に垂直受部を，上記水平ベース材が同じくその内外両側に垂直固定部をそれぞれ備え，上記ベース受材に対する水平ベース材の長手方向傾斜固定を，ベース受材の上記垂直受部に水平ベース材の垂直固定部を上下スライド自在に被嵌した状態で水平ベース材の内外の垂直固定部からそれぞれネジ止めして行ってなることを特徴とする屋外構築物の土間コンクリート不陸吸収装置。
【請求項３】
上記水平ベース材の垂直固定部を，該水平ベース材の内外両側に配置した凹陥溝の底面に配置するとともに該凹陥溝に垂直固定部のネジ露出を防止する目隠バーを装着してなることを特徴とする請求項１又は２に記載の屋外構築物の土間コンクリート不陸吸収装置。
【請求項４】
上記ベース受材における内側の垂直受部を，該水平ベース材の基部の内側面から外側に変位した位置に配置して水平ベース材の上記目隠バーを水平ベース材の基部内側面と略面一に配置自在してなることを特徴とする請求項３に記載の屋外構築物の土間コンクリート不陸吸収装置。
【請求項５】
上記ベース受材における内側の垂直受部を上位，外側の垂直受部を下位の異高に配置するとともに水平ベース材の垂直固定部を該異高の垂直受部に合せて内外異高に配置してなることを特徴とする請求項１，２，３又は４に記載の屋外構築物の土間コンクリート不陸吸収装置。
【発明の詳細な説明】
【技術分野】
【０００１】
本発明は，サンルーム，テラス等の屋外構築物に関し，特にその土間コンクリート不陸吸収装置に関する。
【背景技術】
【０００２】
例えば，建物に付設するように設置するサンルームの側面開口に開閉戸を配置する一方，正面開口に嵌め殺し面や仕切空間を配置することがあり，この場合サンルームの支柱間下端にベース材を配置し，該ベース材に中間柱を起立配置して仕切空間とし，また支柱と中間柱間及び中間柱間にガラスパネルや透明樹脂パネルを嵌着固定して嵌め殺し面とするものとされる。
【０００３】
【特許文献１】実開平５−２８８８０号公報
【発明の開示】
【発明が解決しようとする課題】
【０００４】
しかし乍ら，サンルームは土間コンクリート上に組立設置されるケースが一般的で，該土間コンクリートを打設形成した場合には，土間コンクリートに不陸が生じていることが多く，不陸が生じていると，例えば支柱の下端にベース材が水平に設置することができず，中間柱が傾斜起立するために該ベース材に対して中間柱を設置することができず，ベース材の設置位置を上方に移動したり，その設置作業が煩雑化するという問題点が残されている。特に間口，即ち正面開口を２ｍ程度とした場合は，土間コンクリートも可及的水平に形成するために不陸は然程問題にならないが，該間口を，例えば数ｍ乃至それ以上とした広開口とした屋外構築物にあってはその間口中間に位置する不陸の影響が大きくなって設置作業の障害となる傾向が強くなる。
【０００５】
本発明はかかる事情に鑑みてなされたもので，その解決課題とするところは，土間コンクリートの不陸の有無に拘らず，常にベース材を水平に設置することによって中間柱を垂直に起立し得るようにした屋外構築物の土間コンクリート不陸吸収装置を提供するにある。
【課題を解決するための手段】
【０００６】
上記課題に沿って本発明は，中間柱を起立するベース材をベース受材と該ベース受材にその長手方向傾斜固定自在の水平ベース材の長尺２種の部材によって形成し，基礎コンクリートに埋め込み設置して垂直に起立固定した支柱間の下端に土間コンクリートに載置するように上記ベース受材を固定し，該ベース受材を介して水平ベース材を傾斜固定し，該水平ベース材に中間柱を起立するようにしたものであって，即ち請求項１に記載の発明を，基礎コンクリートに埋込設置して垂直に起立固定した支柱と，土間コンクリート上に載置して該支柱間下端に固定した長尺のベース受材と，該ベース受材に対して長手方向傾斜固定することによって基礎コンクリート間配置の土間コンクリートの不陸を吸収自在とした支柱間水平配置の中間柱起立用長尺の水平ベース材とを備えてなることを特徴とする屋外構築物の土間コンクリート不陸吸収装置としたものである。
【０００７】
請求項２に記載の発明は，上記に加えて，上記水平ベース材の長手方向傾斜固定を可及的簡易且つ確実になし得るものとするように，これを，上記ベース受材がその内外両側に垂直受部を，上記水平ベース材が同じくその内外両側に垂直固定部をそれぞれ備え，上記ベース受材に対する水平ベース材の長手方向傾斜固定を，ベース受材の上記垂直受部に水平ベース材の垂直固定部を上下スライド自在に被嵌した状態で水平ベース材の内外の垂直固定部からそれぞれネジ止めして行ってなることを特徴とする屋外構築物の土間コンクリート不陸吸収装置としたものである。
【０００８】
請求項３に記載の発明は，同じく上記に加えて，上記水平ベース材の傾斜固定を該水平ベース材からネジ止めして行うことによって該ネジが露出して屋外構築物の仕上り外観を損なうのを防止するように，これを，上記水平ベース材の垂直固定部を，該水平ベース材の内外両側に配置した凹陥溝の底面に配置するとともに該凹陥溝に垂直固定部のネジ露出を防止する目隠バーを装着してなることを特徴とする請求項１又は２に記載の屋外構築物の土間コンクリート不陸吸収装置としたものである。
【０００９】
請求項４に記載の発明は，同じく上記に加えて，上記凹陥溝を用いて垂直固定部を形成することによって，該凹陥溝がベース受材から室外側に突出配置して外観を損なったり，サンルームのように内装仕上を行うに際して内側に突出してその障害となるのを防止するように，これを，上記ベース受材における内側の垂直受部を，該水平ベース材の基部の内側面から外側に変位した位置に配置して水平ベース材の上記目隠バーを水平ベース材の基部内側面と略面一に配置自在してなることを特徴とする請求項３に記載の屋外構築物の土間コンクリート不陸吸収装置としたものである。
【００１０】
請求項５に記載の発明は，同じく上記に加えて，水平ベース部材の納まりを外側において可及的に土間コンクリートに近接する一方，内側において，例えば内装仕上に際して内装厚さを吸収することによって内側の納まりを可及的良好なものとするように，これを，上記ベース受材における内側の垂直受部を上位，外側の垂直受部を下位の異高に配置するとともに水平ベース材の垂直固定部を該異高の垂直受部に合せて内外異高に配置してなることを特徴とする請求項１，２，３又は４に記載の屋外構築物の土間コンクリート不陸吸収装置としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，中間柱を起立するベース材をベース受材と該ベース受材にその長手方向傾斜固定自在の水平ベース材の長尺２種の部材によって形成し，基礎コンクリートに埋め込み設置して垂直に起立固定した支柱間の下端に土間コンクリートに載置するように上記ベース受材を固定し，該ベース受材を介して水平ベース材を傾斜固定し，該水平ベース材に中間柱を起立するようにして，土間コンクリートの不陸の有無に拘らず，常にベース材を水平に設置することによって中間柱を垂直に起立し得るようにした屋外構築物の土間コンクリート不陸吸収装置を提供することができる。
【００１３】
請求項２に記載の発明は，上記に加えて，上記水平ベース材の長手方向傾斜固定を可及的簡易且つ確実になし得るものとすることができる。
【００１４】
請求項３に記載の発明は，同じく上記に加えて，上記水平ベース材の傾斜固定を該水平ベース材からネジ止めして行うことによって該ネジが露出して屋外構築物の仕上り外観を損なうのを防止することができる。
【００１５】
請求項４に記載の発明は，同じく上記に加えて，上記凹陥溝を用いて垂直固定部を形成することによって，該凹陥溝がベース受材から室外側に突出配置して外観を損なったり，サンルームのように内装仕上を行うに際して内側に突出してその障害となるのを防止することができる。
【００１６】
請求項５に記載の発明は，同じく上記に加えて，水平ベース部材の納まりを外側において可及的に土間コンクリートに近接する一方，内側において，例えば内装仕上に際して内装厚さを吸収することによって内側の納まりを可及的良好なものとすることができる。
【発明を実施するための最良の形態】
【００１７】
以下図面の例に従って本発明を更に具体的に説明すれば，Ａは，例えばサンルームとした屋外構築物であり，該屋外構築物Ａは，四隅の支柱１１と，該四隅の支柱１１の上方に配置した垂木掛１２，垂木１３，桁１４，中骨１５及び屋根パネル１６によって形成した片流れ屋根１と，側面において垂木１３下位に配置した換気用の内倒し窓２及び該内倒し窓２下位の支柱１１間上方に固定した上レール３１及び支柱１１間下端に固定した下レール３２の案内によって開閉自在とした蛇腹状の折畳戸３と，正面において上記桁１４と平行に支柱１１間下端に固定したベースに起立固定した多数の中間柱４１，支柱１１と中間柱４１間及び各中間柱４１にそれぞれ嵌着固定したガラスパネル又は透明樹脂パネル，本例にあっては透明樹脂パネル４２によって形成した嵌め殺し部４とを備えた，例えばアルミ押出形材によって上記支柱１１，垂木掛１２，垂木１３，桁１４，中間柱１５，ベース等の構造材を形成したアルミ製のものとしてある。
【００１８】
上記四隅の支柱１１は，これらを，それぞれ基礎コンクリート９１に埋込設置して垂直に起立固定してあり，また基礎コンクリート９１間には，その外側周辺を含めて土間コンクリート９２を打設してある。
【００１９】
上記支柱  間下端に固定したベースは，上記土間コンクリート９２上に載置して該支柱１１間下端に固定した長尺のベース受材５と，該ベース受材５に対して長手方向傾斜固定することによって基礎コンクリート９１間配置の土間コンクリート９２の不陸を吸収自在とした支柱１１間水平配置の中間柱起立用長尺の水平ベース材６とを備えて形成してあり，該水平ベース材６に上記中間柱４１を載置し，上記桁１４との間で該中間柱４１を垂直に起立固定してある。
【００２０】
本例にあって上記ベース受材５は，その内外両側に垂直受部５２，５３を，上記水平ベース材６が同じくその内外両側に垂直固定部６３，６４をそれぞれ備え，上記ベース受材５に対する水平ベース材６の長手方向傾斜固定を，ベース受材５の上記垂直受部５２，５３に水平ベース材６の垂直固定部６３，６４を上下スライド自在に被嵌した状態で水平ベース材６の内外の垂直固定部６３，６４からそれぞれネジ７止めして行ったものとしてあり，このとき上記水平ベース材６の垂直固定部６３，６４は，これを，該水平ベース材６の内外両側に配置した凹陥溝６２の底面に配置するとともに該凹陥溝６２に垂直固定部６３のネジ７露出を防止する目隠バー８を装着してあり，また上記ベース受材５における内側の垂直受部５２は，これを，該水平ベース材６の基部６１の内側面から外側に変位した位置に配置して水平ベース材６の上記目隠バー８を水平ベース材６の基部６１内側面と略面一に配置自在とし，更に上記ベース受材５における内側の垂直受部５３を上位，外側の垂直受部６４を下位の異高に配置するとともに水平ベース材６の垂直固定部６３，６４を該異高の垂直受部５２，５３に合せて内外異高に配置したものとしてある。
【００２１】
即ち本例のベース受材５は，例えば支柱１１のベース受材５設置用の対向する側面にネジ止めした図示省略のブラケットにおける内外方向一対の固定片を受入れて該ベース受材５の上面からこの固定片にネジ止めすることによって支柱１１の側面に固定自在とするとともにその優れた断面強度を確保するように内外方向上下に屈曲した複雑形状の屈曲基部５１と，該屈曲基部５１の内側に配置した内側水平部上，本例にあっては後述の水平ベース材５における凹陥溝６２の幅分外側に変位した内側水平部上の内外方向中間位置に起立フィンを起立することによって形成した内側の垂直受部５２と，同じく屈曲基部５１の外側に配置した外側水平部の外側端縁から下方に垂下フィンを垂下することによって形成した外側の垂直受部５３とを備えて，該内側の垂直受部５２を上位，外側の垂直受部５３を下位に配置して，これらの上記異高の配置を行った，サンルームの間口に合せた，例えば数ｍ乃至それ以上の長さの長尺のアルミ押出形材製のものとしてあり，このとき上記外側水平部を内側水平部と段差をなすように幾分上位に配置することにより，ベース受材５の下端縁を内外方向同一位置としつつ，水平ベース材５のスライド範囲を拡大するように上記起立フィンの起立高さを可及的に高くした内側の垂直受部５２におけるスライド範囲に合せて外側の垂直受部５３のスライド範囲を確保したものとしてある。
【００２２】
一方本例の水平ベース材６は，中間柱４１を載置固定するように水平な平坦面とした水平基部６１と，該水平基部６１を上面とし且つ内側の端部に上記内側の凹陥溝６２における上部突条を形成するように該内側の端縁より該凹陥溝６２の幅分外側に変位した位置から該凹陥溝６２の底面をなす上記内側の垂直固定部６３をフィン状に垂下形成するとともにその下端に上記水平基部６１の内側端縁と同一突出位置とするように該内側の凹陥溝の下部突条を突出配置したものとし，また水平基部６１の外側端縁から垂下条を介してその下端の内側に同じく上記凹陥溝におけるその幅分内側に上部突条を形成するとともにその先端位置から該凹陥溝の底面をなす上記外側の垂直固定部６４を同じくフィン状に垂下形成し，同じくその下端に上記垂下条の下端と同一突出位置とするように該外側の凹陥溝６２の下部突条を突出配置し，上記内側の凹陥溝６２とその底面の垂直固定部６３を上位，外側の凹陥溝６２とその底面の垂直固定部６４を下位に配置して，これらの上記異高の配置を行った，上記水平ベース材の長さに合せて，同じく数ｍ乃至それ以上の長尺のアルミ押出形材製のものとしてあり，このとき上記外側の凹陥溝６２を垂下条を介して配置することにより，上記水平ベース材６のスライド範囲に合せてその垂直受部５２，５３に各凹陥溝６２の対向面，即ち凹陥溝６２の裏面を垂直受部５２，５３の摺接面としてそのスライドによる位置調整とこれによる長手方向の傾斜配置をなしうるようにしてある。
【００２３】
このように形成した本例の各長尺のベース受材５及び水平ベース材６の設置は，ベース受材５を土間コンクリート９２上に載置して，上記基礎コンクリート９１に埋込設置することによって垂直に起立した支柱１１の下端に上記ブラケットを介してベース受材５を横架するように固定する一方，該ベース受材５に水平ベース材６を被嵌して，その内外の垂直固定部６３，６４をベース受材５の垂直受部５２，５３に外側から対接し，該水平ベース材６をベース受材５に対してスライド調整して該水平ベース材６を支柱１１間で水平として内外の垂直固定部６３，６４からそれぞれ所定ピッチでネジ７をベース受材５の垂直受部５２，５３に螺入することによって該水平ベース材６をベース受材５に傾斜固定するように行い且つ該水平ベース材６に目隠しバー８を嵌着固定するものとしてあり，これによって数ｍ乃至それ以上の長さを有することによってベース受材５が土間コンクリート９２の不陸によって長手方向に傾斜した状態に支柱１１間に固定されるも，水平ベース材６はベース受材５に支持されて，常にその水平を確保した状態で支柱１１間に固定することができる。
【００２４】
上記嵌め殺し部４の形成は，支柱１１間に固定した水平ベース６の水平基部６１上に，例えばアルミ押出形材を短尺に切断した所定間隔のブロックをネジ７止め固定し，該ブロックに中間柱４１下端を被嵌して該中間柱４１からブロックに対してネジ７止め固定し，上端を常法に従って桁１４に固定することによって該中間柱４１を支柱１１間に，例えば９０ｃｍ強のピッチに配置し，支柱１１と中間柱４１間及び中間柱４１間に上記透明樹脂パネル４２を嵌着することによって行うようにすればよい。
【００２５】
従って本例の屋外構築物Ａは，数ｍ乃至それ以上とした広開口とした間口を持つものとするも，土間コンクリート９２の不陸によりベース材の水平が得られないことによって設置作業が煩雑化するといったことがなく，土間コンクリート９２の不陸の有無に拘らず，常にベース材を水平に設置することによって中間柱４１を垂直に起立することができる。
【００２６】
図示した例は以上のとおりとしたが，本発明の実施に当って，支柱，ベース受材，水平ベース材等の各具体的形状，構造，材質，これらの関係，これらに対する付加等は，上記発明の要旨に反しない限り様々な形態のものとすることができる。
【図面の簡単な説明】
【００２７】
【図１】屋外構築物の斜視図である。
【図２】間口部分の構造を示す斜視図である。
【図３】ベース受材と水平ベース材の関係を示す斜視図である。
【図４】ベース受材と水平ベース材の固定関係を示す縦断面図である。
【図５】中間柱の設置状態を示す斜視図である。
【符号の説明】
【００２８】
Ａ  屋外構築物
１  片流れ屋根
１１  支柱
１２  垂木掛
１３  垂木
１４  桁
１５  中骨
１６  屋根パネル
２  内倒し窓
３  折畳戸
３１  上レール
３２  下レール
４  嵌め殺し部
４１  中間柱
４２  パネル
５  ベース受材
５１  屈曲基部
５２  内側垂直受部
５３  外側垂直受部
６  水平ベース材
６１  水平基部
６２  凹陥溝
６３  内側垂直固定部
６４  外側垂直固定部
７  ネジ
８  目隠バー
９１  基礎コンクリート
９２  土間コンクリート
【図１】
2007239210.tif 000003
【図２】
2007239210.tif 000004
【図３】
2007239210.tif 000005
【図４】
2007239210.tif 000006
【図５】
2007239210.tif 000007